(57)【要約】【課題】従来よりも低消費電力なメイン電源スタンバイ状態を得る。【解決手段】メイン電源スイッチＳＷｍがオン操作されるのに応じてモノマルチＩＣにはＨレベルが入力されるようにして、これに応じて、モノマルチＩＣ１０からはＲＣ時定数に応じた一定期間にわたりＨレベルのリレー駆動信号Ｓg2を出力させ、リレースイッチＳＷRLをオンさせる。リレースイッチＳWRLがオンとなってスタンバイ電源が供給開始されると、リレー駆動信号Ｓg2がＨレベルとなる期間内においてマイコンＩＣ３は起動して、Ｈレベルのリレー駆動信号Ｓg3を出力し、これにより、自身へのスタンバイ電源供給を継続させる。また、これとほぼ同時タイミングでメイン電源部をオンとする制御信号を出力する。これにより、スタンバイ状態においてスタンバイ電源供給を受けるのは、モノマルチＩＣ１０と、メイン電源スイッチＳＷｍ操作に応じてモノマルチＩＣ１０に信号を入力する回路のみとなる。【選択図】図２
2005065478.tif 000002
【特許請求の範囲】
【請求項１】
交流又は直流の電力源を入力して所定レベルの直流電源電圧に変換する電力変換手段と、
上記直流電源電圧の所定の供給ラインに挿入され、外部から入力されるオン／オフ制御信号によりオン／オフする電源供給スイッチ手段と、
所定の機器動作を指示するものであり、手動操作によりオン／オフ状態が切り換えられる操作手段と、
上記直流電源電圧が定常的に入力されており、この入力される直流電源電圧を利用して、上記操作手段のオン／オフ状態が切り換えられるのに応じて、論理値を切り換えるようにして出力する論理値出力回路と、
定常的に入力される上記直流電源電圧により動作するものとされ、上記操作手段がオフ状態からオン状態に変化したときに対応して上記論理値出力回路から出力される論理値の切り換わりに応じたタイミングで、予め設定した所定時間長により、上記電源供給スイッチ手段をオン状態とするスイッチ制御信号を出力する、制御信号出力手段と、
上記電源供給スイッチ手段を介した供給ラインにより供給される上記直流電源電圧により動作し、また、上記操作手段に対応する上記所定の機器動作のための制御を実行可能とされ、上記直流電源電圧の供給が開始されるのに応じて起動した以降のタイミングで、上記電源供給スイッチ手段をオン状態とするスイッチ制御信号の継続的な出力を開始する機能回路部と、
を備えることを特徴とする電源供給制御装置。
【請求項２】
上記機能回路部は、
自身が上記直流電源電圧を入力しているときに、上記操作手段がオフ状態からオン状態に変化したことに対応して上記スイッチ制御信号が出力開始されたことを検出した場合には、
上記スイッチ制御信号が出力開始されてからの上記所定期間内において、上記機能回路部自身からの上記スイッチ制御信号の出力を停止するようにされている、
ことを特徴とする請求項１に記載の電源供給制御装置。
【請求項３】
上記機能回路部は、
自身が上記直流電源電圧を入力しているときに、一定時間以上、自身が実行すべき所定の動作を実行していないと判断したときには、上記機能回路部自身からの上記スイッチ制御信号の出力を停止するようにされている、
ことを特徴とする請求項１に記載の電源供給制御装置。
【請求項４】
交流又は直流の電力源を入力して所定レベルの直流電源電圧に変換する電力変換手段と、
上記直流電源電圧の所定の供給ラインに挿入され、制御信号に応じてオン／オフ動作を行う電源供給スイッチ素子と、
所定の機器動作を指示するものであり、手動操作によりオン／オフ状態が切り換えられる操作手段と、
定常的に印加される上記直流電源電圧を動作電源として入力し、上記操作手段がオフ状態のときには増幅出力が停止され、オン状態とされるのに応じて増幅出力が得られるように動作するもので、第１の増幅素子を備えて形成される第１の増幅回路と、
定常的に印加される上記直流電源電圧を動作電源として入力し、増幅制御信号が入力されるのに応じて、上記電源供給スイッチ素子をオン状態とするための上記制御信号が増幅出力として得られるように動作するもので、第２の増幅素子を備えて形成される第２の増幅回路と、
コンデンサ素子と抵抗素子とを備え、これらコンデンサ素子及び抵抗素子の時定数によって設定されるホールド時間により上記第１の増幅回路の増幅出力をホールドして得られる出力を、上記増幅制御信号として出力するようにされた時定数回路と、
上記電源供給スイッチ素子を介した供給ラインにより供給される上記直流電源電圧により動作して、上記操作手段に対応する上記所定の機器動作のための制御を実行可能とされると共に、上記直流電源電圧の供給が開始されるのに応じて起動した以降のタイミングで、上記増幅制御信号の出力を開始する機能回路部と、
を備えることを特徴とする電源供給制御装置。
【請求項５】
上記機能回路部は、
自身が上記直流電源電圧を入力しているときに、上記操作手段がオフ状態からオン状態に変化したことに対応して上記第１の増幅回路による増幅出力が検出されたことに応じて、上記増幅制御信号の出力を停止するようにされている、
ことを特徴とする請求項４に記載の電源供給制御装置。
【請求項６】
上記機能回路部は、
自身が上記直流電源電圧を入力しているときに、一定時間以上、自身が実行すべき所定の動作を実行していないと判断したときには、上記増幅制御信号の出力を停止するようにされている、
ことを特徴とする請求項４に記載の電源供給制御装置。
【発明の詳細な説明】
【技術分野】
【０００１】
本発明は、各種電子機器などにおいて、電源回路により得られる直流電源電圧を所要の回路部分に対して供給／停止するための制御動作を行う、電源供給制御装置に関するものである。
【背景技術】
【０００２】
例えば各種の電子機器においては、電源装置として、スタンバイ電源部とメイン電源部との２つの電源部を備えるものが広く知られている。
スタンバイ電源部は、電子機器における全体的な動作制御を実行するマイクロコンピュータに直流電源電圧を供給する。
メイン電源部は、例えば上記したスタンバイ電源により動作させる以外の回路部位に対して直流電源電圧を供給する。通常、メイン電源部による直流電源電圧が供給されるのは、その電子機器において、主となり、また、相応の負荷となる機能回路部であり、例えばテレビジョン受像機などであれば、ディスプレイデバイスの駆動系を含む画像表示回路系などとなる。また、メディアに対応して記録再生する記録再生装置であれば、このメディアに対応したドライブ系などとなる。
【０００３】
このようにスタンバイ電源部とメイン電源部とを備える場合においては、商用交流電源が入力されて動作するスタンバイ電源によりマイクロコンピュータは起動しているが、メイン電源部への商用交流電源供給がオフとされていることで、メイン電源により動作する回路系は動作を停止しているモード状態とすることができる。このモードが、いわゆるスタンバイモードといわれる。
スタンバイモードでは、マイクロコンピュータが起動しているから、ユーザによる電子機器に対してのメイン電源部をオンとするための操作に対応して、メイン電源部への商用交流電源供給をオンとしてメイン電源部を動作させ、メイン電源オンモードとすることができる。また、メイン電源部をオフとするための操作が行われれば、マイクロコンピュータは、メイン電源部への商用交流電源を停止させて、メイン電源部の動作が停止するように制御して、スタンバイモードに移行するようにされる。
【０００４】
なお、上記のようにして、マイクロコンピュータによるメイン電源部のオン／オフ制御を実行させるための操作には、リモートコントローラを利用することが行われる。リモートコントローラではメイン電源部をオン／オフするための操作に応じて、これを指示するコマンド信号を送信する。この場合のマイクロコンピュータは、リモートコントローラからのコマンド信号を受信可能に構成されており、メイン電源部のオン／オフを指示するコマンドの受信に応じて、メイン電源部のオン／オフ制御を実行する。
また、リモートコントローラを利用した操作の他に、電子機器に対してユーザが手動動作可能に設けられた、いわゆるソフトウェアスイッチを利用することも行われている。
【０００５】
この場合に、メイン電源部をオン／オフするための操作に用いられるソフトウェアスイッチはマイクロコンピュータと接続されており、ソフトウェアスイッチに対して操作が行われると、この操作に応じて変化する論理値がマイクロコンピュータに入力されるようになっている。マイクロコンピュータでは、このソフトウェアスイッチに対する操作に応じて入力される論理値の変化に応じて、メイン電源部をオン／オフ制御することになる。
【０００６】
このようにして、マイクロコンピュータのみを動作させてメイン電源部についての電源待機状態とするスタンバイモードは、電子機器におけるメイン電源部により電源供給を行わせる場合よりも、消費電力量がはるかに小さい。また、リモートコントローラ又はソフトウェアスイッチに対する操作に応じてメイン電源部をオンにできることの利便性が高いので、これまでにおいて広く採用されている。
【０００７】
【特許文献１】特開平１０−３２２７７７号公報
【発明の開示】
【発明が解決しようとする課題】
【０００８】
しかしながら、低消費電力であるとはいえ、スタンバイモードのときにはマイクロコンピュータ側に対して継続的にスタンバイ電源部から直流電源電圧を供給して、定常的にマイクロコンピュータを動作させておく必要があるから、電力が消費されていることに代わりはない。そして、例えばマイクロコンピュータとしてのチップの種類や動作状況などによっては、スタンバイモードであっても、スタンバイ電源部からマイクロコンピュータに負荷として流れる電流が数１００ｍＡ程度にまで高くなるものがある。
特に近年においては、経済的な面や環境などの問題から、電子機器としては低消費電力化の促進が求められている。このため、スタンバイモードとされるような低消費電力といわれてきたモード状態においても、さらに消費電力の低減が図られるべきことになる。
【課題を解決するための手段】
【０００９】
そこで本発明は上記した課題を考慮して、電源供給制御装置の第１の構成として、次のようにすることとした。
つまり、交流又は直流の電力源を入力して所定レベルの直流電源電圧に変換する電力変換手段と、直流電源電圧の所定の供給ラインに挿入され、外部から入力されるオン／オフ制御信号によりオン／オフする電源供給スイッチ手段と、所定の機器動作を指示するものであり、手動操作によりオン／オフ状態が切り換えられる操作手段と、直流電源電圧が定常的に入力されており、この入力される直流電源電圧を利用して操作手段のオン／オフ状態が切り換えられるのに応じて論理値を切り換えるようにして出力する論理値出力回路と、定常的に入力される直流電源電圧により動作するものとされ、操作手段がオフ状態からオン状態に変化したときに対応して論理値出力回路から出力される論理値の切り換わりに応じたタイミングで、予め設定した所定時間長により、電源供給操作手段をオン状態とするスイッチ制御信号を出力する制御信号出力手段と、電源供給スイッチ手段を介した供給ラインにより供給される直流電源電圧により動作し、また、操作手段に対応する所定の機器動作のための制御を実行可能とされ、直流電源電圧の供給が開始されるのに応じて起動して以降のタイミングで、電源供給スイッチ手段をオン状態とするスイッチ制御信号の継続的な出力を開始する機能回路部とを備えて構成することとした。
【００１０】
上記第１の構成によると、電力変換手段から出力される直流電源電圧は、電源供給スイッチ手段を介して機能回路部に入力されるようになっている。そして、この直流電源電圧を入力して機能回路部が起動する手順としては下記のようになる。
つまり、操作手段がオフからオンとされるのに応じて論理値出力回路から出力される論理値が変化し、これに応じて、制御信号出力手段から一定期間にわたりスイッチ制御信号が出力されて電源供給スイッチ手段をオンとする。
電源供給スイッチ手段がオンとなるのに応じて、機能回路部に直流電源電圧が供給開始され機能回路部は動作を開始する（起動する）。そして、制御信号出力手段からスイッチ制御信号が出力される一定期間内において、この動作を開始した機能回路部が、電源供給スイッチ手段をオンとするためのスイッチ制御信号を出力する。なお、この場合においては、機能回路部が起動した後において、操作手段に応じた所定の機器動作を実現するための制御を実行できることになる。
【００１１】
また本発明では、電源供給制御装置の第２の構成として以下のようにもすることとした。
すなわち、交流又は直流の電力源を入力して所定レベルの直流電源電圧に変換する電力変換手段と、上記直流電源電圧の所定の供給ラインに挿入され、制御信号に応じてオン／オフ動作を行う電源供給スイッチ素子と、所定の機器動作を指示するものであり、手動操作によりオン／オフ状態が切り換えられる操作手段とを備える。
そして、定常的に印加される上記直流電源電圧を動作電源として入力し、上記操作手段がオフ状態のときには増幅出力が停止され、オン状態とされるのに応じて増幅出力が得られるように動作するもので、第１の増幅素子を備えて形成される第１の増幅回路と、定常的に印加される上記直流電源電圧を動作電源として入力し、増幅制御信号が入力されるのに応じて、上記電源供給スイッチ素子をオン状態とするための上記制御信号が増幅出力として得られるように動作するもので、第２の増幅素子を備えて形成される第２の増幅回路とを備える。
その上で、コンデンサ素子と抵抗素子とを備え、これらコンデンサ素子及び抵抗素子の時定数によって設定されるホールド時間により上記第１の増幅回路の増幅出力をホールドして得られる出力を、上記増幅制御信号として出力するようにされた時定数回路と、上記電源供給スイッチ素子を介した供給ラインにより供給される上記直流電源電圧により動作して、上記操作手段に対応する上記所定の機器動作のための制御を実行可能とされると共に、上記直流電源電圧の供給が開始されるのに応じて起動した以降のタイミングで、上記増幅制御信号の出力を開始する機能回路部とを備えるようにした。
【００１２】
上記第２の構成としては、電力変換手段から出力される直流電源電圧は、上記電源供給スイッチ素子を介して機能回路部に入力されるようになっている。そして、この直流電源電圧を入力して機能回路部が起動する手順としては、先ず、操作手段がオフからオンとされるのに応じて、上記第１の増幅回路による増幅出力が得られる。そして、このように第１の増幅回路による増幅出力が得られる間は、上記時定数回路にて、この増幅出力がホールドされることによって得られる出力が、上記増幅制御信号として第２の増幅回路に対して供給される。これに応じて第２の増幅回路からは、上記電源供給スイッチ素子をオンとするための制御信号が出力され、電源供給スイッチ素子がオンとなる。
電源供給スイッチ素子がオンとなれば、この電源供給スイッチ素子を介して電源が供給される機能回路部が起動する。そして、このように起動した機能回路部からは、以降の所要のタイミングにおいて上記増幅制御信号の出力が開始され、これにより上記第２の増幅回路からの上記制御信号の出力が継続されることとなって電源供給スイッチ素子もオン状態を維持する。この結果、電源供給ラインの電源供給を継続させることができ、上記機能回路部も起動状態で維持させることができる。
なお、上記機能回路部が起動されて以降、この機能回路部からの増幅制御信号の出力が開始されるまでには多少のタイムラグが考えられるが、この間には、上記のように時定数回路にてホールドされた（つまりコンデンサ素子に充電された）電荷が放電されて、この時定数回路からの上記増幅制御信号の出力が所要時間継続される。つまり、これによって結果的には上記電源供給スイッチ素子のオン状態を継続させることができる。
【発明の効果】
【００１３】
例えば従来においては、或る特定操作を指示する操作スイッチの操作を待機するスタンバイ状態は、上記機能回路部に対して電力変換手段からの直流電源電圧を継続的に供給して、機能回路部を定常的に動作させておき、操作スイッチのオン／オフ状態に応じた論理値変化を、上記機能回路部が直接入力して、所定の機器動作を実行するようにしていた。
これに対して、上記した本発明の第１の構成によれば、スタンバイ状態においては、電力変換手段から出力される直流電源電圧を入力して動作可能な状態にあるのは、論理値出力回路と、制御信号出力手段のみであるということになる。また、論理値出力回路が直流電源電圧を入力して動作するのは、操作スイッチが操作されたときのみであり、また、制御信号出力手段が直流電源電圧を入力して動作するのは、スイッチ制御信号を出力する一定期間のみである。
このことから、本発明の第１の構成によっては、或る特定機能に対応する操作スイッチの操作を待機するスタンバイ状態について、従来よりも低消費電力にすることが可能となる。
【００１４】
さらに、本発明の第２の構成によっては、上記説明から理解されるように電源供給制御装置として上記機能回路部以外の構成は部品素子のみとすることができる。そして、このような部品素子のみによる構成が可能となれば、スタンバイ状態において、電力変換手段から出力される直流電源電圧を入力して動作可能な状態としておく集積回路は必要ないことになる。このため、第２の構成によっては、操作スイッチの操作を待機するスタンバイ状態について、消費電力を不要とすることが可能となる。
また、上記のように部品素子のみの構成を可能とし、例えば集積回路を不要とすることができることから、部品点数及び装置製造コストの更なる削減が図られる。
【発明を実施するための最良の形態】
【００１５】
以下、本発明による電源供給制御装置を実施するための最良の形態（以下、実施の形態ともいう）について説明を行う。
図１は、本発明における第１の実施の形態としての、電源供給制御装置を含む電源回路系の全体的な構成を示している。この図に示される電源回路系は電子機器に備えられるものであるが、その電子機器の種類等については特に限定されるべきものではない。
【００１６】
この図に示す電源回路系においては、商用交流電源ＡＣを入力して動作する電源部として、スタンバイ電源部１とメイン電源部４とを備える。
【００１７】
先ず、スタンバイ電源部１側の電源回路系について説明する。
この場合のスタンバイ電源部１は、例えば所定形式のスイッチングコンバータなど備えたＡＣ−ＤＣコンバータとしての構成を採り、入力された商用交流電源ＡＣを、所定レベルの安定化直流電圧であるスタンバイ電源電圧ＶDDに変換して出力する。このスタンバイ電源電圧ＶDDは、図示するようにして、最終的には、後述するマイクロコンピュータＩＣ３に供給される。（なお、以降において「マイクロコンピュータ」は「マイコン」と略して記述する場合がある。）マイコンＩＣ３は、スタンバイ電源電圧ＶDDが供給されることにより起動して動作するようになっている。
【００１８】
この場合、スタンバイ電源部１から出力されるスタンバイ電源電圧ＶDDの供給ラインと、マイコンＩＣ３の電源入力との間には、電源供給オン／オフコントロール回路２が介在するようにして設けられる。
電源供給オン／オフコントロール回路２は、メイン電源スイッチＳＷｍ（操作手段）に対して行われた操作に応じて、スタンバイ電源電圧ＶDDをマイコンＩＣ３に供給する電源ラインのオン／オフ（開閉）を行うことができるようになっている。メイン電源スイッチＳＷｍは、いわゆるソフトウェアスイッチであり、電子機器の本体にユーザがオン／オフ操作可能なようにして設けられている。
この電源供給オン／オフコントロール回路２、及びメイン電源スイッチＳＷｍの具体的な回路構成例については図２により後述する。
【００１９】
マイコンＩＣ３は、ＣＰＵ、ＲＡＭ、ＲＯＭなどを備えることで、マイクロコンピュータを構成しており、この場合には、例えば１つのＩＣ(Integrated Circuit)とされる。電源供給オン／オフコントロール回路２を経由したスタンバイ電源電圧ＶDDのラインは、このＩＣの電源入力端子に接続される。
【００２０】
マイコンＩＣ３は、この電源回路系を備える電子機器が適正に動作するように各種の処理、制御を実行する。このために、例えば電子機器の動作状態に応じて各種の判断処理などを行い、また、ここでは図示していない、電子機器を構成する各種機能回路部に対して、適宜、所要の制御信号等を出力する。
【００２１】
また、本実施の形態としては、マイコンＩＣ３と電源供給オン／オフコントロール回路２との間の制御線として検出／コントロールラインＬｎ１が設けられる。この検出／コントロールラインＬｎ１を介して、後述するようにして所定の信号の入出力が行われることで、マイコンＩＣ３が電源供給オン／オフコントロール回路２の動作を制御したり、また、メイン電源スイッチＳＷｍのオン／オフ状態を認識して所要の処理を実行することが可能となる。
また、マイコンＩＣ３は、オン／オフコントロールラインＬｎ２を介してオン／オフ制御信号Ｓｇ４を出力することで、後述するメイン電源部４に対する商用交流電源ＡＣの供給ラインに挿入されるメイン電源ラインスイッチＳＷLのオン／オフ（開閉）を制御できるようにもなっている。
【００２２】
また、この場合において、マイコンＩＣ３には、リモートコントローラ受信部５（以下、「リモートコントローラ」については「リモコン」と略す場合がある）が接続されている。マイコンＩＣ３では、ここでは図示しないリモートコントローラからは、操作に応じたコマンド信号が例えば赤外線、電波などにより無線送信される。リモコン受信部５では、このコマンド信号を受信復調してマイコンＩＣに出力する。マイコンＩＣ３では、入力されたコマンド信号に応答した所定の動作が得られるように、ここでは図示していない所定の機能回路部に対する制御を実行する。つまり、本実施の形態の電源回路系を備える電子機器としては、リモートコントローラによる操作が可能とされている。
【００２３】
また、商用交流電源ＡＣは、分岐して、オン（閉状態）／オフ（開状態）の切換が行われるメイン電源ラインスイッチＳＷLを介してメイン電源部４に対しても入力される。
メイン電源部４も、この場合にはＡＣ−ＤＣコンバータとしての構成を採り、入力された商用交流電源ＡＣを、所定レベルの安定化直流電圧に変換する。そして、この安定化直流電圧を、ここでは図示しない所定の回路部に対して、メイン電源電圧として供給する。メイン電源部４から出力されるメイン電源電圧は、例えばこの電源回路系を備える電子機器において、マイコンＩＣ３以外の各種機能回路部に対して動作電源として供給されるようになっている。なお、この図においては、メイン電源部４から出力されるメイン電源電圧のラインを１系統のみとしているが、実際においては、機能回路部ごとに必要な電源電圧レベルや負荷条件などに応じて複数系統のメイン電源電圧を出力する構成とされてよい。
【００２４】
なお、上記図１に示す電源回路系では、電力源として商用交流電源ＡＣを入力して電力変換を行うようにした構成を示しているが、これはあくまでも一例である。つまり、電力変換前の電力源としては、商用交流電源に代えて、バッテリー又はいわゆるＡＣアダプタなどから供給される直流電源を入力して電力変換する構成とされてもよい。この場合には、スタンバイ電源部１及びメイン電源部４は、それぞれＤＣ−ＤＣコンバータとしての構成を採ることになる。
【００２５】
図２は、上記図１に示した電源回路系のうちで、スタンバイ電源部１側の電源回路系を抜き出して示している。また、この図では、電源供給オン／オフコントロール回路２のブロック内部についての具体的構成例を示している。
【００２６】
スタンバイ電源部１から出力されるスタンバイ電源電圧ＶDDのラインは、電源供給オン／オフコントロール回路２におけるリレースイッチＳＷRL（電源供給スイッチ手段）を介して、マイコンＩＣ３の電源電圧端子Ｖinに接続されている。なお、この図においては、リレースイッチＳＷRLを経由したスタンバイ電源電圧ＶDDは、分岐出力されるものとして示されている。つまり、スタンバイ電源電圧ＶDDとしては、マイコンＩＣ３だけでなく、後述するスタンバイモードのときにも電力供給する必要がある回路部に入力させるようにして構わない。
また、以降の説明において、スタンバイ電源電圧ＶDDのラインとして、スタンバイ電源部１からリレースイッチＳＷRLまでの前側のラインは前段ラインといい、リレースイッチＳＷRLを経由して以後の、マイコンＩＣ３側にスタンバイ電源電圧ＶDDを供給するラインは後段ラインということにする。
【００２７】
そして、この図から分かるように、電源供給オン／オフコントロール回路２としては、モノマルチバイブレータＩＣ１０と、抵抗Ｒ１、抵抗Ｒｘ、コンデンサＣｘ、及びダイオードＤ1，Ｄ2の部品素子とから成る。
【００２８】
モノマルチバイブレータＩＣ（以降、モノマルチＩＣと略す）１０は、モノマルチバイブレータとしての機能を有するＩＣである。このモノマルチＩＣ１０には、既に広く知られている各種のＣＭＯＳ型のモノマルチバイブレータのＩＣを採用すればよい。
【００２９】
モノマルチＩＣ１０の１６番ピンは電源電圧（ＶDD）端子であり、この１６番ピンに対しては、スタンバイ電源電圧ＶDDの前段ラインが直接接続されている。従って、モノマルチＩＣは、スタンバイ電源部１が動作してスタンバイ電源電圧ＶDDを出力している限りは、常に電源が供給されて動作可能な状態であることになる。
【００３０】
また、モノマルチＩＣ１０の負トリガ入力端子である５番ピンには、メイン電源スイッチＳＷｍの一端が接続される。メイン電源スイッチＳＷｍの他端はアースに接続される。また、５番ピンは、スタンバイ電源電圧ＶDDの前段ラインに対して抵抗Ｒ1を介して接続されている。
図示するようにしてメイン電源スイッチＳＷｍは、オン／オフ（開閉）切り換えが行われるスイッチとしての構造を有し、ユーザが手動によりオン／オフ操作するボタン、キーとして電子機器本体に表出して設けられるものである。例えばメイン電源スイッチＳＷｍを押圧操作すればオン（閉）状態となって、押圧操作を解放すれば、オフ（開）状態となるようにされている。
【００３１】
そして、上記した接続態様によれば、メイン電源スイッチＳＷｍがオフ状態となっているときには、抵抗Ｒ1の抵抗値に応じた所定レベルの直流電圧が負トリガ信号Ｓｇ１として入力されることになる。つまり、負トリガ信号Ｓｇ１としてはＨレベルが入力されることになる。
これに対して、メイン電源スイッチＳＷｍに対する押圧操作（オン操作）が行われてメイン電源スイッチＳＷｍがオン（閉）状態になると、５番ピンはメイン電源スイッチＳＷｍを介してアースと接続されることで、アース電位となる。つまり、負トリガ信号Ｓｇ１としてはＬレベルに変化する。
このようにして、メイン電源スイッチＳＷｍは、モノマルチＩＣ１０と組み合わされることで、ソフトウェアスイッチとしての構成を採ることになる。また、５番ピンへのメイン電源スイッチＳＷｍ及び抵抗Ｒ1の接続態様により、上記した負トリガ信号としての論理値を出力する回路を形成している、ということがいえる。
【００３２】
モノマルチＩＣ１０の２番ピンは、時定数回路接続端子である。つまり、２番ピンに対しては、トリガ信号入力に応答した出力パルス幅（パルス出力の時間長）を設定するための時定数が設定された、外付けの時定数抵抗、時定数コンデンサから成る時定数回路が接続される。この時定数回路は、例えば図示するようにして、時定数抵抗Ｒｘをスタンバイ電源電圧ＶDDの前段ラインと２番ピンの間に挿入すると共に、２番ピンとアースとの間に時定数コンデンサＣｘを挿入して形成することができる。
【００３３】
モノマルチＩＣ１０の１番ピンはアース端子であり、８番ピンはグランド電圧（Ｖss）端子である。また、４番ピンは正トリガ入力端子であるが、電源供給オン／オフコントロール回路２としては、正トリガ入力は用いないので、グランドに接続しておくべき端子となる。そこで、この場合には、グランド電位となっているアースに対して、上記１番ピン、８番ピン、及び４番ピンを接続することとしている。
【００３４】
モノマルチＩＣ１０の出力端子は、非反転出力の６番ピンと、反転出力の７番ピンとなるのであるが、この場合には６番ピンのみを使用する。この６番ピンから出力される非反転出力は、リレースイッチＳＷRLをオン／オフ制御するためのスイッチ制御信号Ｓｇ２となるものであり、ダイオードＤ1のアノード→カソードを介してリレースイッチＳＷRLに対して入力される。
この場合には、スイッチ制御信号Ｓｇ２がＨレベルとなると、リレースイッチＳＷRLのリレー回路に電流を導通させて、リレースイッチＳＷRLをオンとするように駆動する。これに対して、スイッチ制御信号Ｓｇ２がＬレベルとなると、リレースイッチＳＷRLのリレー回路に電流が流れなくなって、リレースイッチＳＷRLをオフとする。
【００３５】
また、モノマルチＩＣ１０の６番ピンは、ダイオードＤ1のアノード側で分岐して、マイコンＩＣ３の検出端子（ポート）Ｐ.sensとも接続されており、これにより、マイコンＩＣ３が起動して動作している状態では、非反転出力であるスイッチ制御信号Ｓｇ２の状態を常に監視することができるようになっている。
なお、反転出力端子である７番ピンは、この場合にはオープンとしている。
【００３６】
また、マイコンＩＣ３も、リレースイッチＳＷRLをオン／オフコントロールするためのスイッチ制御信号Ｓｇ３を、信号出力端子（ポート）Ｐ.out1から出力するようになっている。このスイッチ制御信号Ｓｇ３は、図示するようにして、ダイオードＤ2のアノード→カソードを介して、リレースイッチＳＷRLに入力されるようになっている。
なお、ダイオードＤ1，Ｄ2のアノードが互いに接続されていることから分かるように、スイッチ制御信号Ｓｇ２，Ｓｇ３は、それぞれダイオードＤ1，Ｄ2を介すると、共通のラインによりリレースイッチＳＷRLに入力されるようになっている。換言すれば、ダイオードＤ1，Ｄ2は、リレースイッチＳＷRLに対して入力させるべきスイッチ制御信号Ｓｇ２，Ｓｇ３としての電圧が、それぞれ検出端子Ｐ.sens、モノマルチＩＣ１０の６番ピンに印加されることを防止するために挿入されるものである。
なお、図２において破線により括って示す、マイコンＩＣ３の信号出力端子Ｐ.out1のラインと、マイコンＩＣ３の検出端子Ｐ.sensのラインが、図１における検出／コントロールラインＬｎ１に相当することになる。
【００３７】
また、モノマルチＩＣ１０のクリア入力端子である３番ピンは、スタンバイ電源電圧ＶDDの前段ラインと接続される。
【００３８】
ここで、参考として、モノマルチＩＣ１０として用いられるＣＭＯＳ型のモノマルチバイブレータの内部等化回路を図３に示しておく。
モノマルチＩＣの４番ピンである正トリガ入力端子から入力された信号は、シュミットトリガ１３を介してＯＲゲート１２に入力される。また、モノマルチＩＣの５番ピンである負トリガ入力端子から入力された信号は、反転してＯＲゲート１２に入力される。
ＯＲゲート１２の出力は、モノマルチバイブレータ１１のトリガ入力端子に入力される。このモノマルチバイブレータ１１において、アースと接続される端子は、モノマルチＩＣ１０の１番ピン（アース端子）に対応する。また、時定数回路を形成する時定数抵抗Ｒｘと時定数コンデンサＣｘの接続点と接続される端子は、モノマルチＩＣ１０の２番ピン（時定数回路接続端子）に対応する。
また、モノマルチバイブレータ１１の非反転出力（反転記号無しのＱ）と、反転出力（反転記号有りのＱ）が、それぞれ、モノマルチＩＣ１０の６番ピン（非反転出力端子）、７番ピン（反転出力端子）に対応する。
【００３９】
この回路構成では、４番ピンに対応する正トリガ入力端子からシュミットトリガ１３を介して出力される信号と、５番ピンに対応の負トリガ入力端子に入力された信号の反転信号との、少なくともいずれか一方がＨレベルとなってＯＲゲートに入力されると、ＯＲゲート１２では、Ｈレベルのトリガ信号をモノマルチバイブレータ１１に出力する。つまり、４番ピンからの正トリガ入力がＬ（負）レベルからＨ（正）レベルに立ち上がったとき、又は５番ピンからの負トリガ入力がＨ（正）レベルからＬ（負）レベルに立ち下がったときに対応して、モノマルチバイブレータ１１には、Ｈレベルに立ち上がったトリガ信号が入力される。
【００４０】
このモノマルチバイブレータ１１では、上記のようにしてトリガ信号がＨレベルに立ち上がったタイミングで、６番ピン相当の非反転出力をＬレベルからＨレベルに立ち上げる、また、７番ピン相当の反転出力は、上記非反転出力を反転させた信号であるから、ＨレベルからＬレベルに立ち下がる。
そして、上記のようにして得られた非反転出力がＨレベルとなる状態と、反転出力がＬレベルとなる状態は、時定数抵抗Ｒｘ及び時定数コンデンサＣｘから成る時定数回路の時定数に応じた時間長の期間だけ継続される。そして、この時定数に応じた期間を経過したタイミングで、非反転出力はＬレベルに立ち下がり、反転出力はＨレベルに立ち上がる。
【００４１】
また、モノマルチバイブレータ１１において、モノマルチＩＣ１０の３番ピン（クリア入力端子）から入力されるクリア信号は、反転してリセット端子に入力される。
図２においては、モノマルチＩＣ１０の３番ピン（クリア入力端子）に対しては電源電圧ＶDDの前段ラインが接続されていることで、電源電圧ＶDDが入力されている。これを、図３に対応させると、スタンバイ電源部１が動作して電源電圧ＶDDが出力されているときには、モノマルチバイブレータ１１のリセット入力は所定の正極レベルの電源電圧ＶDDが反転して入力されるので継続的にＬレベルとされていることになる。
【００４２】
上記構成による本実施の形態の電源回路系では、電力源として商用交流電源ＡＣが入力されている状態では、メイン電源スタンバイモードと、リモコンスタンバイモードと、メイン電源オンモードとの３つのモード状態との間でモード遷移が可能とされる。
メイン電源スタンバイモードは、メイン電源部４が動作を停止している状態にあり、メイン電源スイッチＳＷｍに対するメイン電源をオンとするための手動操作を待機しているモード状態である。
このメイン電源スタンバイモードのときに、上記のようにして、メイン電源をオンとするための手動操作がメイン電源スイッチＳＷｍに対して行われれば、後述する手順により、マイコンＩＣ３が、信号出力端子Ｐ.out2から、オン／オフコントロールラインＬｎ２を介して、メイン電源ラインスイッチＳＷLをオンとするためのオン／オフ制御信号Ｓｇ４を出力し、メイン電源ラインスイッチＳＷLをオフからオンに切り換える。これにより、メイン電源部４は、商用交流電源ＡＣが供給されて動作を開始し、メイン電源電圧を出力することになる。
そして、本実施の形態としては、このメイン電源スタンバイモードの状態では、マイコンＩＣ３へのスタンバイ電源電圧ＶDDの供給が停止されていることで、マイコンＩＣ３は動作を停止している状態にある。
【００４３】
また、リモコンスタンバイモードは、メイン電源部４は動作していないが、マイコンＩＣ３側は、スタンバイ電源電圧ＶDDが供給されていることで動作しているモード状態である。このリモコンスタンバイモードでは、マイコンＩＣ３が動作していることで、リモコン受信部５におけるコマンド信号の受信復調が可能とされ、また、このコマンド信号に応じてマイコンＩＣ３が制御処理を実行することも可能とされている。
例えば、リモコンスタンバイモードのときに、リモコンに対してメイン電源部４をオンとするための操作が行われたとする。リモコン受信部５では、このコマンド信号を受信すると、キャリア復調などの所定の処理を実行して、マイコンＩＣ３に出力する。マイコンＩＣ３では、このコマンドに応じて、オン／オフコントロールラインＬｎ２と接続される信号出力端子Ｐ.out2から、メイン電源ラインスイッチＳＷLをオンとするためのオン／オフ制御信号Ｓｇ４を出力し、メイン電源部４の動作を開始させる。
【００４４】
また、メイン電源オンモードは、スタンバイ電源電圧ＶDDの供給を受けてマイコンＩＣ３などが動作しているうえで、さらに、メイン電源部４も動作してメイン電源電圧を供給している状態である。
【００４５】
図４のタイミングチャートは、メイン電源スイッチＳＷｍに対して行われた操作に応じての、メイン電源スタンバイモードからメイン電源オンモードへの遷移、及びメイン電源オンモードからメイン電源スタンバイモードへの遷移のための電源回路系の動作を示している。
【００４６】
この図４において、時点ｔ１以前は、メイン電源スタンバイモードの状態にあるものとされる。このメイン電源スタンバイモードにあるとき、電源供給オン／オフコントロール回路２におけるリレースイッチＳＷRLはオフの状態にある。また、メイン電源ラインスイッチＳＷLもオフの状態にある。
このとき、スタンバイ電源部１は商用交流電源ＡＣを入力してスタンバイ電源電圧ＶDDを出力している状態にあるが、リレースイッチＳＷRLがオフとされていることで、スタンバイ電源電圧ＶDDは前段ラインにのみ供給され、後段ラインには供給されていない。従って、マイコンＩＣ３（及びリモコン受光部５）はオフの状態にある。
また、メイン電源部４も商用交流電源ＡＣが供給されないので、動作を停止したオフ状態にある。
このメイン電源スタンバイモードにおいて、電源が供給されて動作可能なのは、電源供給オン／オフコントロール回路２におけるモノマルチＩＣ１０と、メイン電源スイッチＳＷｍのオン／オフ操作に応じてＨ／Ｌレベルの負トリガ信号を出力させる、抵抗Ｒ1とメイン電源スイッチＳＷｍから成る回路部分であるということになる。
【００４７】
そして、時点ｔ１において、ユーザによりメイン電源をオンとするためのメイン電源スイッチＳＷｍに対する操作が行われたものとする。このための操作としては、メイン電源スイッチＳＷｍを一回押圧操作した後、その押圧操作を解除するようにされればよい。そして、押圧操作の解除は、時点ｔ１から或る時間経過した時点ｔ２であったとする。
これにより、図４（ａ）に示すようにして、時点ｔ１以前においてはＨレベルとされていた負トリガ信号Ｓｇ１は、時点ｔ１に至ってＬレベルに立ち下がり、時点ｔ２において再びＨレベルに立ち上がる。
【００４８】
モノマルチＩＣ１０では、５番ピンに入力される負トリガ信号Ｓｇ１が、時点ｔ１においてＨレベルからＬレベルに立ち下がったのに応じて、図４（ｂ）に示すようにして、同じ時点ｔ１において、６番ピンの非反転出力であるスイッチ制御信号Ｓｇ２を、ＬレベルからＨレベルに立ち上げる。このスイッチ制御信号Ｓｇ２がＨレベルとなる状態は、時定数回路（Ｒｘ，Ｃｘ）の時定数によって決定されるパルス出力期間Ｔｐにわたって継続される。図４（ｂ）においては、時点ｔ１から開始されたパルス出力期間Ｔｐは時点ｔ４において終了しており、時点ｔ４以降においてはＬレベルに立ち下がっている。
【００４９】
このようにして時点ｔ１においてオン／オフ制御信号Ｓｇ１がＨレベルに立ち上がることで、図４（ｄ）に示すようにして、これまでオフ状態にあったリレースイッチＳＷRLは、同じ時点ｔ１おいてオン状態に切り換わることになる。これにより、スタンバイ電源電圧ＶDDは、リレースイッチＳＷRLを介して後段ラインにも供給が開始され、マイコンＩＣ３の電源電圧端子Ｖinにもスタンバイ電源電圧ＶDDの供給が開始されることになる。
このスタンバイ電源電圧ＶDDの供給開始に応じて、マイコンＩＣ３は、時点ｔ１とほぼ同時とされるタイミングで起動を開始する。そして時点ｔ１から或る時間長による時間差期間Ｔｋを経過した時点ｔ３で、マイコンＩＣ３自身が、信号出力端子Ｐ.out1からＨレベルのスイッチ制御信号Ｓｇ３の出力を開始させる。このＨレベルのスイッチ制御信号Ｓｇ３の出力は、後述するようにしてメイン電源部４をオフとするべき状態となるまで継続される。また、時間差期間Ｔｋは、例えば時点ｔ１において起動したマイコンＩＣ３が起動を完了し、信号出力端子Ｐ.out1から出力するスイッチ制御信号Ｓｇ３を、Ｈレベルを立ち上げるまでに要する時間となる。
【００５０】
ここで、スイッチ制御信号Ｓｇ３が出力される時点ｔ３は、Ｈレベルのスイッチ制御信号Ｓｇ２の出力が終了する時点ｔ４よりも早いタイミングとなっている。このため、時点ｔ４に至ってスイッチ制御信号Ｓｇ２がＨレベルからＬレベルに変化したとしても、リレースイッチＳＷRLに対しては、スイッチ制御信号Ｓｇ２によりＨレベルの入力が継続される。これにより、リレースイッチＳＷRLは、時点ｔ１から時点ｔ４を経過して以降においてもオン状態を継続することができ、後段ライン側へのスタンバイ電源電圧ＶDDの供給も継続される。つまり、マイコンＩＣ３の動作も継続できることになる。
【００５１】
また、マイコンＩＣ３は、例えば時点ｔ３において起動が完了したとされるタイミングで、図４（ｅ）に示すようにして、オン／オフ制御信号Ｓｇ４をＬレベルからＨレベルに切り換えて出力する。これにより、時点ｔ３以降においては、メイン電源ラインスイッチＳＷLがオンとなるので、メイン電源部４には商用交流電源ＡＣが入力されることとなって動作を開始し、メイン電源電圧を供給することになる。つまり、期間ｔ１−ｔ２にて行われたメイン電源スイッチＳＷｍに対する操作に応じての、メイン電源部４の起動が行われたことになる。
【００５２】
このようにして、本実施の形態においては、ソフトウェアスイッチによるメイン電源スイッチＳＷｍをオンとする操作に応じてモノマルチＩＣ１０にトリガ信号Ｓｇ１を入力させるようにしている。そして、このトリガ信号Ｓｇ１の入力に応じて、モノマルチＩＣ１０は、パルス出力期間ＴｐによりリレースイッチＳＷRLをオンとするためのＨレベルのスイッチ制御信号Ｓｇ２を出力するようにしている。
このスイッチ制御信号Ｓｇ２がＨレベルとなる期間ｔ１−ｔ４（パルス出力期間Ｔｐ）は、上記した説明からも理解されるように、先ず、リレースイッチＳＷRLをオンとしてマイコンＩＣ３を起動させるための期間である。マイコンＩＣ３が起動しさえすれば、時点ｔ３以降の動作としても示したように、リレースイッチＳＷRLをオン状態で継続させることは、マイコンＩＣ３自身がスイッチ制御信号Ｓｇ３を出力することで行える。
このことから、時定数回路（Ｒｘ，Ｃｘ）による時定数により決まるパルス出力期間Ｔｐは、期間ｔ１−ｔ３に相当するマイコンＩＣ３の時間差期間Ｔｋよりも長いものとして設定すべきことになる。
【００５３】
また、上記時点ｔ３以降に対応するメイン電源オンモードの状態において、メイン電源スイッチＳＷｍがオン状態となるように例えば押圧操作を行った場合には、この操作は、メイン電源をオフとしてメイン電源スタンバイモードとするための操作となる。このように、メイン電源スイッチＳＷｍに対する押圧操作は、メイン電源スタンバイモードとメイン電源オンモードとの間で状態遷移させるためのトグル操作であることになる。
【００５４】
図４においては、時点ｔ３以降のメイン電源オンモードの状態において、期間ｔ１１−ｔ１２において、メイン電源スイッチＳＷｍをオン状態とする操作を行ったものとされている。この操作に応じては、図４（ａ）の期間ｔ１１−ｔ１２に示すようにして、トリガ信号Ｓｇ１がＨレベルからＬレベルに変化する。
そして、時点ｔ１１においては、トリガ信号Ｓｇ１がＬレベルに立ち下がるのに応じて、モノマルチＩＣ１０の６番ピンからは、Ｈレベルのスイッチ制御信号Ｓｇ２が、図４（ｂ）の期間ｔ１１−ｔ１４に示すようにして、パルス出力期間Ｔｐの時間長によりＨレベルとなるようにして出力される。
【００５５】
マイコンＩＣ３の検出端子Ｐ.sensにはスイッチ制御信号Ｓｇ２が入力されているので、時点ｔ１１においてスイッチ制御信号Ｓｇ２がＬレベルからＨレベルに立ち上がったことの変化は、マイコンＩＣ３が検出できることになる。
そして、この時点ｔ１１においてスイッチ制御信号Ｓｇ２の立ち上がりエッジを検出したのに応じて、マイコンＩＣ３は、時点ｔ１１から或る時間差期間ＴLを経過した時点ｔ１３において、図４（ｃ）に示すようにして、これまでＨレベルにより出力させていたスイッチ制御信号Ｓｇ３を、Ｌレベルに切り換える。
なお、上記時間差期間ＴLは、時点ｔ１１のタイミングでマイコンＩＣ３がスイッチ制御信号Ｓｇ２の立ち上がりエッジを検出してから、スイッチ制御信号Ｓｇ３を出力するポート（信号出力端子Ｐ.out1）をＨレベルからＬレベルに立ち下げるまでに要する時間長となる。
【００５６】
そしてこの場合には、時点ｔ１３から或る時間経過したタイミングが時点ｔ１４となっており、時点ｔ１４に至ってパルス出力期間Ｔｐを経過するまでは、スイッチ制御信号Ｓｇ２はＨレベルを維持している。このために、上記のようにして時点ｔ１３においてマイコンＩＣ３からのスイッチ制御信号Ｓｇ３がＬレベルになっても、時点ｔ１４までは、スイッチ制御信号Ｓｇ２がＨレベルを維持するので、図４（ｄ）に示すようにして、リレースイッチＳＷRLも時点ｔ１４までオン状態を維持する。
【００５７】
そして時点ｔ１４を経過してスイッチ制御信号Ｓｇ２がＬレベルに変化するのに応じて、リレースイッチＳＷRLはオフ状態となる。これに応じて、マイコンＩＣ３に対するタンバイ電源電圧ＶDDの供給が停止されるので、時点ｔ１４以降、マイコンＩＣ３は動作を停止してオフ状態となる。また、時点ｔ１４においてマイコンＩＣ３が動作を停止するのに応じて、これまでＨレベルにより出力されていた、メイン電源ラインスイッチＳＷLのためのオン／オフ制御信号Ｓｇ４の出力も停止されてＬレベルに相当する状態となる。これによりメイン電源ラインスイッチＳＷLもオフとなり、メイン電源部４も動作を停止する。
この時点ｔ１４以降の状態は、時点ｔ１以前の状態と同じとなる。つまり、時点ｔ１４以降は、メイン電源スタンバイモードとしての状態に遷移したことになる。
このようにして、メイン電源オンモードからメイン電源スタンバイモードに遷移させたときにも、メイン電源スタンバイモードの状態では、マイコンＩＣ３に対する電源供給を停止させておくことができる。
【００５８】
なお、リモコンスタンバイモードは、メイン電源オンモードとの間での遷移となる。つまり、メイン電源オンモードの状態において、リモコンから送信されたメイン電源部をオフとするためのコマンド信号を受信すると、マイコンＩＣ３は、オン／オフ制御信号Ｓｇ４をＬレベルに立ち下げてメイン電源ラインスイッチＳＷLをオフとし、メイン電源部４の動作を停止させる。このときの状態が、メイン電源部４は動作を停止しているが、マイコンＩＣ３はスタンバイ電源電圧ＶDDが供給されて動作中にある、リモコンスタンバイモードである。そして、このリモコンスタンバイモードの状態において、リモコンから送信されたメイン電源部をオンとするためのコマンド信号を受信すると、マイコンＩＣ３はオン／オフ制御信号Ｓｇ４をＨレベルに立ち上げて、メイン電源ラインスイッチＳＷLをオンに切り換える。これにより、メイン電源部４の動作が開始されてメイン電源オンモードに移行することになる。
【００５９】
ここで、例えば従来において、メイン電源スタンバイモードの状態から同じようにメイン電源スイッチに対する操作に応じてメイン電源部を起動させるためには、メイン電源スタンバイモードのときから、マイコンに対してスタンバイ電源電圧を供給して動作させておく必要があった。
なぜなら、メイン電源部のオン／オフ制御は、ソフトウェアスイッチとしてのメイン電源スイッチのオン／オフに応じた信号レベルの変化を、マイコン自身が直接入力して検知することで行うように構成されていたからである。つまり、従来のメイン電源スタンバイモードとしては、本実施の形態におけるリモコンスタンバイモードと同じ動作モードであるということになる。
【００６０】
これに対して本実施の形態としてのメイン電源スタンバイモードとしては、マイコンＩＣ３に対する電源供給は行われておらず、従って、マイコンＩＣ３は動作を停止させている。代わりに、電源供給を受けて動作可能とされているのはモノマルチＩＣ１０を備える電源供給オン／オフコントロール回路２ということになる。
【００６１】
マイコンＩＣ３の電源電圧端子Ｖinに対して電源を供給すると、マイコンＩＣは、内部で発生させたクロックに従って定常的に動作する状態となり、相応の電力を消費するということがいえる。例えば、マイコンＩＣ３としてのＩＣの種類や動作状態などによっては、消費電流が１００ｍＡ程度となる。
これに対して、本実施の形態の電源供給オン／オフコントロール回路２においてスタンバイ電源電圧ＶDDが供給されて電力を消費するのは、モノマルチＩＣ１０であるが、モノマルチＩＣ１０は、トリガ信号が入力されたとき以外には動作を行わないので、トリガ信号入力を待機しているときには理想的には電力を消費しない。実際としても、待機状態における消費電流としては１μＡ以下であり、実質的にも非常に消費電力が小さい。
このことから、本実施の形態としては、メイン電源スタンバイモードにおける消費電力を、従来よりも著しく低減できることになる。また、上記実施の形態としては、電力源として商用交流電源ＡＣを入力する構成を採った例を示しているが、例えば電力源としてバッテリーからの直流電圧を入力する構成とした場合には、メイン電源スタンバイモードにおける電力消費が少なくなる分、バッテリーによる駆動可能時間も長くすることが可能となる。
【００６２】
また、本実施の形態としては、従来の構成に対して、電源供給オン／オフコントロール回路２が追加されることになるが、電源供給オン／オフコントロール回路２を形成する部品は、モノマルチＩＣ１０と、小数の抵抗、コンデンサ、ダイオードなどの素子であるから、コストアップも特に問題にならない程度の僅かなもので済む。
【００６３】
また、本実施の形態としての構成を採ることによっては、メイン電源オンモードからメイン電源スタンバイモードへの遷移については、メイン電源スイッチＳＷｍの操作がなくとも、マイコンＩＣ３自身の完結した動作により可能となる。
つまり、マイコンＩＣ３は、メイン電源オンモードに対応してこれまでＨレベルとしていたスイッチ制御信号Ｓｇ３を、Ｌレベルに切り換える。これは、マイコンＩＣ３が、リレースイッチＳＷRLをオンからオフに強制的に切り換えて、自身へのスタンバイ電源電圧ＶDDの供給を停止させるという動作になる。これにより、時点ｔ３に対応したタイミングで、マイコンＩＣ３は動作を停止するので、オン／オフ制御信号Ｓｇ４の出力も停止され、メイン電源ラインスイッチＳＷLもオフとなってメイン電源部４の動作も停止する。この結果、メイン電源スタンバイモードの状態が得られることになる。
【００６４】
電子機器としては、メイン電源オンモードとされてメイン電源部４が動作している状態にあるとしても、ユーザがその電子機器が本来持つ機能を実行させるようにして使用している状態にあるとは限らない。具体例としては、例えば電子機器がディスクメディアの再生装置であるとして、メイン電源部が動作していてもディスクメディアを再生駆動していないような場合を挙げることができる。
【００６５】
そこで本実施の形態としては、マイコンＩＣ３によるメイン電源オンモードからメイン電源スタンバイモードへの強制的な状態遷移を利用して、次のような動作を実行させることとする。
つまり、マイコンＩＣ３については、所定の時間長にわたってユーザが電子機器を使用してないとされる動作状態であることを判別できるように構成する。このような判別は、マイコンＩＣ３が自身の制御処理結果の情報を利用することで容易に行うことができる。
そして、ユーザが電子機器を使用してないとされる動作状態が所定時間長継続したことを判別すると、上記したようにマイコンＩＣ３は、オン／オフ制御信号Ｓｇ４の出力を停止させ、メイン電源スタンバイモードに遷移させる。
このような動作とすれば、メイン電源オンモードのままで電子機器が使用されていないために無駄な電力が消費されるという状態を、できるだけ継続させないことができるため、更に消費電力の低減が図られることになる。
【００６６】
ところで、上記第１の実施の形態では、マイコンＩＣ３（機能回路部）が動作を停止しているスタンバイモードを、メイン電源スイッチＳＷｍ（操作手段）の操作によるメイン電源部４をオンとするための待機状態としている。しかしながら、このスタンバイモードとしては、メイン電源部４をオンとすること以外の待機状態に適用してもよいものである。つまり、或るスイッチの操作に応じて、その電子機器の何らかの機能動作を実行させるような場合において、その機能動作を実行させていないときにマイコンＩＣ３を起動させて制御処理可能な状態としておく必要が無いとされる場合であれば、本発明の第１の構成を適用できる。
また、スタンバイモードのときに電源供給を停止させて、その動作を停止させておく機能回路部としても、本実施の形態のようなマイコンに限定されるものではなく、操作手段に対応する所定の機器動作を制御することのできる機能回路部でありさえすればよいものである。
【００６７】
続いて、図５には、本発明における第２の実施の形態としての電源供給制御装置を含む電源回路系の全体的な構成を示している。なお、この場合も図示する電源回路系が備えられる電子機器の種類等については特に限定されるべきものではない。
【００６８】
この図５に示される電源回路系の場合は、商用交流電源ＡＣを入力して動作する電源部として、メイン電源部４のみを備えている。
そして、この場合、メイン電源部４により生成されるメイン電源電圧ＶＤは、図示する電源供給オン／オフコントロール回路２０を介して、マイコンＩＣ３、及びその他の機能回路部への電源電圧として供給される。
なお、マイコンＩＣ３とその他の機能回路部とに対しては、同電位による直流電源電圧を供給するものとし、これに応じメイン電源電圧ＶＤとしては、上記のようにマイコンＩＣ３とその他の機能回路部とで共通のラインにより供給するとした例を挙げることとする。
また、この場合のメイン電源部４としても、先の第１の実施の形態の場合と同様の構成とされればよい。
【００６９】
この場合の電源回路系においては、図示するように上記メイン電源電圧ＶＤの供給ラインとマイコンＩＣ３の電源入力との間に、電源供給オン／オフコントロール回路２０を介在させるようにして設けている。
この電源供給オン／オフコントロール回路２０としても、図示するメイン電源スイッチＳＷｍに対して行われた操作に応じて、メイン電源電圧ＶＤを供給する電源ラインのオン／オフを行うことができるように構成される。
また、メイン電源スイッチＳＷｍは、この場合も電子機器の本体にユーザがオン／オフ操作可能なようにして設けられている。
【００７０】
なお、この場合のマイコンＩＣ３としても、この電源回路系を備える電子機器についての各種の処理、制御を実行するように構成される。
但し、第２の実施の形態におけるマイコンＩＣ３と電源供給オン／オフコントロール回路２０との間の制御線としては、検出／コントロールラインＬｎ３が設けられる。この検出／コントロールラインＬｎ３を介して所定の信号の入出力が行われることで、マイコンＩＣ３が電源供給オン／オフコントロール回路２０の動作を制御したり、また、メイン電源スイッチＳＷｍのオン／オフ状態を認識して所要の処理を実行することが可能となるようにされる。
【００７１】
また、この図５に示される電源回路系としても、電力変換前の電力源としては、商用交流電源に代えて、バッテリー又はいわゆるＡＣアダプタなどから供給される直流電源を入力して電力変換する構成とされてもよい。
【００７２】
図６は、図５に示した電源回路系が備える、主に電源供給オン／オフコントロール回路２０の内部構成についての具体的な構成例を示している。
この図においても、図５に示した商用交流電源ＡＣ、メイン電源部４、メイン電源スイッチＳＷm、マイコンＩＣ３が示されている。
メイン電源部４から出力されるメイン電源電圧ＶＤのラインは、電源供給オン／オフコントロール回路２０における、スイッチ素子Ｑ３（電源供給スイッチ素子）を介して、マイコンＩＣ３の電源電圧端子Ｖinに接続されている。また、この場合は、先の図５における説明からも理解されるように、上記スイッチ素子Ｑ３の後段におけるメイン電源電圧ＶＤは、分岐して各種機能回路部に対しても供給されるものとなる。
このスイッチ素子Ｑ３としては、ＭＯＳ−ＦＥＴが用いられ、ソースがメイン電源部４の出力側に接続され、ドレインが上記したマイコンＩＣ３の電源電圧端子Ｖin側（すなわち各種機能回路部側）に接続される。
なお、この場合もメイン電源電圧ＶＤのラインとして、メイン電源部４から上記スイッチ素子Ｑ３までの前側のラインは前段ラインといい、スイッチ素子Ｑ３を経由して以後の、マイコンＩＣ３・各種機能回路部側にメイン電源電圧ＶＤを供給するラインは後段ラインということにする。
【００７３】
そして、この場合の電源供給オン／オフコントロール回路２０としては、上記したスイッチ素子Ｑ３と共に、図示するように抵抗Ｒ１１〜抵抗Ｒ１６、増幅素子Ｑ１、増幅素子Ｑ２、コンデンサＣC、ダイオードＤ１１、ダイオードＤ１２の部品素子から成る。
先ず、増幅素子Ｑ１はバイポーラトランジスタであり、この場合はＰＮＰ型のものが用いられる。この増幅素子Ｑ１のエミッタは、図示するように抵抗Ｒ１３を介してメイン電源電圧ＶＤの前段ラインに対して接続され、コレクタは、コンデンサＣCを介してアース接地されている。そして、増幅素子Ｑ１のベースは、抵抗Ｒ１２と抵抗Ｒ１１とを介してメイン電源電圧ＶＤの前段ラインに対して接続されている。
【００７４】
また、上記抵抗Ｒ１１と抵抗Ｒ１２との接続点に対しては、メイン電源スイッチＳＷｍの一端が接続される。そして、メイン電源スイッチＳＷｍの他端はアースに接続される。
図示されるように、メイン電源スイッチＳＷｍは、オン／オフ（開閉）切り換えが行われるスイッチとしての構造を有し、例えばユーザが手動によりオン／オフ操作するボタン、キーとして設けられる。
【００７５】
上記コンデンサＣCと、増幅素子Ｑ１のコレクタとの接続点に対しては、抵抗Ｒ１５とダイオードＤ１１（アノード→カソード）とを介して、増幅素子Ｑ２のベースが接続される。この場合、上記抵抗Ｒ１５と上記コンデンサＣCとによっては時定数回路が形成される。そして上記接続形態によれば、この時定数回路による出力（コンデンサＣCの放電電荷）は、上記ダイオードＤ１１を介して増幅素子Ｑ２のベースに対して供給されるものとなる。
【００７６】
上記増幅素子Ｑ２もバイポーラトランジスタとされ、この場合はＮＰＮ型が採用される。この増幅素子Ｑ２のエミッタはアース接地され、コレクタは上記したスイッチ素子Ｑ３のゲートに対して接続される。その上で、スイッチ素子Ｑ３のゲート−ソース間に対しては、図示するように抵抗Ｒ１４が挿入されている。つまり、増幅素子Ｑ２のコレクタは、上記抵抗Ｒ１４を介してメイン電源電圧ＶＤの前段ラインに対しても接続されている。
【００７７】
これまでに説明した接続形態によれば、メイン電源スイッチＳＷｍがオンの状態とされると、増幅素子Ｑ１にベース電流が流れ増幅素子Ｑ１はオンとなる。これによっては、増幅素子Ｑ１にコレクタ電流が流れることによってコンデンサＣCに対する充電が行われる。
【００７８】
このようにコンデンサＣCに対する充電が行われると、コンデンサＣCには所要の電位が得られ、これに伴ってダイオードＤ１１がオンとなって増幅素子Ｑ２もオンとなる。増幅素子Ｑ２がオンとなれば、これに応じてスイッチ素子Ｑ３のゲートに所要の電位が生じて、スイッチ素子Ｑ３がオンとなる。スイッチ素子Ｑ３がオンとなれば、後段ラインに対してメイン電源電圧ＶＤが供給され、マイコンＩＣ３やその他の機能回路部に電源電圧が供給されるものとなる。
つまり、この場合、メイン電源スイッチＳＷｍがオンの状態とされる間は、増幅素子Ｑ１、Ｑ２がオンとなってスイッチ素子Ｑ３がオンとなることで、後段ラインにメイン電源電圧ＶＤを供給して、マイコンＩＣ３やその他の機能回路部を起動させることができる。
【００７９】
また、ユーザが操作キー又は操作ボタンに対する押圧を解除し、メイン電源スイッチＳＷｍがオフの状態となることによっては、増幅素子Ｑ１はオフとなる。この時点から、上記のように充電されたコンデンサＣCの電荷が放電されることで、このコンデンサＣCと抵抗Ｒ１５との時定数回路に設定される時定数に応じた時間長分、増幅素子Ｑ２にベース電流が供給され続ける。すなわち、操作キー又は操作ボタンに対する押圧が解除された以降も、所定時間長にわたってマイコンＩＣ３等への電力供給が継続されるようになっているものである。
【００８０】
なお、上記説明から理解されるように、この場合、増幅素子Ｑ１を始めとして、抵抗Ｒ１１、Ｒ１２、Ｒ１３は、メイン電源スイッチＳＷｍのオンに応じてメイン電源電圧ＶＤに応じた増幅出力を得るための、第１の増幅回路を形成していることになる。また、増幅素子Ｑ２、及び抵抗Ｒ１４は、少なくとも上記時定数回路においてこのような第１の増幅回路にて得られる増幅出力がホールドされることによって得られる電位（増幅制御信号）に応じ、スイッチ素子Ｑ３をオンとするための増幅出力（制御信号）を得るための第２の増幅回路を形成するものである。
【００８１】
そして、第２の実施の形態では、上記したようにしてメイン電源スイッチＳＷｍがオフの状態となった以降も所定時間にわたってマイコンＩＣ３の起動状態を継続させるように構成した上で、図示する検出／コントロールラインＬｎ３を設けて、マイコンＩＣ３による検出・制御動作を行うように構成している。
まず、このような検出／コントロールラインＬｎ３としては、マイコンＩＣ３の検出端子Ｐ.sensに対して、上記したコンデンサＣCと増幅素子Ｑ１のコレクタとの接続点を接続している。そしてこれと共に、マイコンＩＣ３の信号出力端子Ｐ.ONを、図示する抵抗Ｒ１６とダイオードＤ１２（アノード→カソード）を介して、増幅素子Ｑ２のベースとダイオードＤ１１との接続点に対して接続している。
【００８２】
この場合のマイコンＩＣ３としては、上記検出端子Ｐ.sensにて所定値以上の電圧が検出されたことに応じて、信号出力端子Ｐ.ONから所定レベルによるＯＮ信号の継続的な出力を開始するようにされる。また、これと共に、上記検出端子Ｐ.sensにて、再び所定値以上の電圧が検出されたことに応じて、上記信号出力端子Ｐ.ONからのＯＮ信号出力を停止する動作を行うようにされている。
【００８３】
このようなマイコンＩＣ３によれば、メイン電源スイッチＳＷｍがオンの状態となり、増幅素子Ｑ１がオンとなった場合に、上記したコンデンサＣCと増幅素子Ｑ１のコレクタとの接続点に得られる、所定値以上の電圧（以下、スイッチオン電圧とも言う）が上記検出端子Ｐ.sensに得られる。そして、これに応じてマイコンＩＣ３では、信号出力端子Ｐ.ONからの上記ＯＮ信号（増幅制御信号）の出力が開始される。これによって、以降はダイオードＤ１２、増幅素子Ｑ２がオン状態を維持するようにされ、スイッチ素子Ｑ３もオン状態を維持するようにされる。
すなわち、メイン電源スイッチＳＷｍがオフ状態となった以降も、マイコンＩＣ３とその他の機能回路部への電力供給が継続されるものである。
【００８４】
なお、この図６に示す構成においては、マイコンＩＣ３の信号出力端子Ｐ.ONから増幅素子Ｑ２のベースへのラインと、コンデンサＣCと抵抗Ｒ１５による時定数回路を介しての増幅素子Ｑ２のベースへのラインとに、それぞれダイオードＤ１１、Ｄ１２を挿入しているが、この場合のダイオードＤ１１，Ｄ１２としても、これらのラインからの出力が、それぞれ信号出力端子Ｐ.ON、時定数回路側に印加されることを防止するために挿入されるものである。
【００８５】
上記構成による電源回路系において、メイン電源スイッチＳＷｍに対して行われた操作に応じて行われる各部の動作を、次の図７のタイミングチャートを用いて説明する。
図７において、時点ｔ１以前は、メイン電源スイッチＳＷｍがオフの状態にある。このメイン電源スイッチＳＷｍがオフの状態に対応しては、電源供給オン／オフコントロール回路２０におけるスイッチ素子Ｑ３はオフの状態にあり、マイコンＩＣ３とその他の機能回路部には電源電圧が供給されていない状態にある。
そして、このようにメイン電源スイッチＳＷｍがオフの状態で、メイン電源がオンとなる状態を待機している状態が、第２の実施の形態の場合におけるメイン電源スタンバイモードとなる。
【００８６】
そして、時点ｔ１において、ユーザによりメイン電源をオンとするためのメイン電源スイッチＳＷｍに対する操作が行われたものとする（図７（ａ））。このための操作としても、メイン電源スイッチＳＷｍを一回押圧操作した後、その押圧操作を解除するようにされればよい。そして、押圧操作の解除は、時点ｔ１から或る時間経過した時点ｔ２であったとする。
このようにして、メイン電源スイッチＳＷｍが所要の時間長にわたってオン状態とされることによっては、図７（ｂ）に示すようにして、この時点ｔ１から時点ｔ２までの所要の時間長にわたって、増幅素子Ｑ１のベース電圧がＬレベルに立ち下がり、ベース電流が流れる。すなわち、時点ｔ１から時点ｔ２にわたって増幅素子Ｑ１がオンとなる。
そして、このように増幅素子Ｑ１がオンすることによっては、図７（ｃ）に示すようにして、この期間ｔ１−ｔ２にはコンデンサＣCに対する充電が行われる。
【００８７】
また、このように増幅素子Ｑ１がオンとなると、これに応じてコンデンサＣCに所定以上の電位が生じてダイオードＤ１１が導通し、増幅素子Ｑ２のベース電圧がＨレベルに立ち上がって増幅素子Ｑ２がオンとなる（図７（ｄ））。そして、増幅素子Ｑ２がオンとなると、スイッチ素子Ｑ３のゲート電圧がＬレベルに立ち下がり（図７（ｆ））、すなわち負極性のゲート電圧が得られてスイッチ素子Ｑ３がオンとなる。これにより、後段ラインに対してメイン電源電圧ＶＤの供給が開始され、マイコンＩＣ３が起動する。
【００８８】
このように起動されたマイコンＩＣ３の検出端子Ｐ.sensに対しては、上記のように増幅素子Ｑ１がオンとなることで、コンデンサＣCと増幅素子Ｑ１のコレクタとの接続点にて得られる上記したスイッチオン電圧が供給される。マイコンＩＣ３では、検出端子Ｐ.sensにこのようなスイッチオン電圧としての所定値以上の電位が得られたことが検出されたことに応じて、図７（ｅ）に示すＯＮ信号（Power On Signal）についての、信号出力端子Ｐ.ONからの継続的な出力を開始する（時点ｔ３）。
例えば、このようなＯＮ信号としては、増幅素子Ｑ２をオンさせることのできるレベルが設定されればよい。なお、この場合のＯＮ信号のレベルとしては、図６に示した抵抗Ｒ１６の抵抗値によって調整が可能である。
このようにして、マイコンＩＣ３の信号出力端子Ｐ.ONよりＯＮ信号の出力が開始されると、ダイオードＤ１２が導通し増幅素子Ｑ２にベース電流が流れる。つまり、ＯＮ信号の出力が継続されることで、増幅素子Ｑ２のオン状態が継続するようにされている。そして、増幅素子Ｑ２のオン状態が継続されることで、スイッチ素子Ｑ３としてもオン状態を維持し、マイコンＩＣ３とその他の機能回路部への電源電圧ＶＤの供給も継続することになる。
【００８９】
ここで、増幅素子Ｑ１がオンとなり、図７（ｅ）に示すＯＮ信号が出力されるまでの間には、図のような期間ｔ１−ｔ３のタイムラグが生じることとなる。
しかしこの間には、図７（ｃ）に示すように、期間ｔ１−ｔ２にて充電されたコンデンサＣCの充電電荷が、時点ｔ２以降に放電されることで、ダイオードＤ１１及び増幅素子Ｑ２のオン状態を所要の時間長にわたって継続させることができる。これによって、メイン電源スイッチＳＷｍがオフとなってからマイコンＩＣ３により上記ＯＮ信号の出力が開始される以前に、増幅素子Ｑ２がオフとされてスイッチ素子Ｑ３がオフとされてしまうことが防止されている。つまり、マイコンＩＣ３への電力供給が停止されてしまうことが防止される。
なお、このような動作を実現するために、上記コンデンサＣCと抵抗Ｒ１５による時定数回路の時定数としては、上記したようなマイコンＩＣ３におけるＯＮ信号出力までに想定されるタイムラグに応じた値が設定されるものである。
【００９０】
このような動作の結果、メイン電源スイッチＳＷｍに対するオン操作が行われた以降は、図７（ｄ）に示す増幅素子Ｑ２のベース電位はオン電圧を保ち、これによって図７（ｆ）に示すスイッチ素子Ｑ３のゲート電圧としてもオンするに充分なゲート電圧レベルが維持され、スイッチ素子Ｑ３は時点ｔ１から時点ｔ３以降もオン状態を継続することができる。
つまりこれによって、メイン電源スイッチＳＷｍに対するオン操作に応じて、マイコンＩＣ３とその他の機能回路部を起動させ、以降もその起動状態を継続させることが可能となり、メイン電源スタンバイモードからメイン電源オンモードへの遷移が実現される。
【００９１】
なお、図７に示す期間ｔ１−ｔ２以降において、再び上記メイン電源スイッチＳＷｍに対する押圧操作が行われた場合には、この押圧操作はメイン電源スタンバイモードへの移行を指示するための操作となる。このようなメイン電源スイッチＳＷｍに対する再度の操作が、図示するように期間ｔ４−ｔ５にて行われたとする。
これに応じては、先の時点ｔ２にてメイン電源スイッチＳＷｍの押圧が解除されることに応じてオフとされていた増幅素子Ｑ１が、再びオンするようにされる（図７（ｂ））。これによっては、マイコンＩＣ３にて再び検出端子Ｐ.sensに所定値以上の電位（スイッチオン電圧）が得られたことが検出される。
ここで先にも説明したように、ＯＮ信号の出力は、マイコンＩＣ３にて検出端子Ｐ.sensに再びスイッチオン電圧が得られたことに応じて停止される。従って、このように検出端子Ｐ.sensにて再びスイッチオン電圧が検出されると、これに応じてマイコンＩＣ３は、図示する時点ｔ６にて信号出力端子Ｐ.ONからのＯＮ信号の出力を停止するようにされる（図７（ｅ））。
そして、このようにＯＮ信号の出力が停止されることで、増幅素子Ｑ２もこの時点ｔ６にてオフとなり（図７（ｄ））、これに伴ってスイッチ素子Ｑ３もオフとされる（図７（ｆ））。これによって、マイコンＩＣ３とその他の機能回路部への電力供給は停止され、結果としてメイン電源スイッチＳＷｍに対する再度の操作に応じては、メイン電源スタンバイモードへ移行させることができる。
【００９２】
このようにして第２の実施の形態の構成によっても、メイン電源スイッチＳＷｍに対する操作を待機するメイン電源スタンバイモードとしては、マイコンＩＣ３への電源供給は行わずマイコンＩＣ３の動作を停止させておくことができる。
その上で、第２の実施の形態によれば、電源供給オン／オフコントロール回路２０の構成として、ＩＣを一切使用いない部品素子のみによる構成を実現している。つまりこれによって、増幅素子Ｑ１、Ｑ２を備える各増幅回路が増幅動作を行わない限り、電源供給オン／オフコントロール回路２０における電力消費を全く無くすことができる。
このことから、第２の実施の形態の構成によれば、メイン電源スイッチＳＷｍに対する操作を待機するメイン電源スタンバイモード時において、電源供給オン／オフコントロール回路２０での消費電力をゼロとすることができるものである。
そして、このようにメイン電源スタンバイモード時での回路消費電力をゼロとすることができれば、例えば電力源としてバッテリーからの直流電圧を入力する構成とした場合には、バッテリーによる駆動可能時間をより長くすることが可能となる。
【００９３】
また、上記のようにＩＣを不要とした構成が実現できることから、第１の実施の形態の場合よりもさらに回路構成部品の削減と、回路製造コストの削減が図られる。
また、ＩＣを不要とした構成が実現可能となることで、第１の実施の形態の場合に備えられていたスタンバイ電源部１は不要とすることができる。すなわち、第１の実施の形態の場合では、モノマルチＩＣ１０を起動させておく（動作可能状態としておく）ための専用の電力供給源として、メイン電源電圧とは異なる電位によるスタンバイ電源電圧ＶDDを得るためのスタンバイ電源部１を備えるものとしていたが、第２の実施の形態では、このようにＩＣ起動用の電源電圧を得るための構成は特に不要となる。このため、第２の実施の形態の電源回路系においては、先の図５においても示したようにメイン電源スタンバイモード時に電源供給オン／オフコントロール回路に対して電力を供給しておくための、スタンバイ電源部を備える必要がないものである。
そして、このようにスタンバイ電源部を不要とすることができるという点でも、第２の実施の形態としての電源供給制御の構成が適用される電源回路系では、回路構成部品点数の削減、及び回路製造コストの削減が図られることになる。
【００９４】
また、第２の実施の形態としての構成を採る場合としても、メイン電源オンモードからメイン電源スタンバイモードへの遷移については、メイン電源スイッチＳＷｍの操作がなくとも、マイコンＩＣ３自身の完結した動作により可能である。
つまり、第２の実施の形態の場合におけるマイコンＩＣ３は、メイン電源オンモードに対応してこれまで出力していたＯＮ信号の出力を停止することで、先の図７にて説明したように増幅素子Ｑ２をオフとすることでスイッチ素子Ｑ３をオフとして、後段ラインへの電力供給を停止することができる。これにより、第２の実施の形態の場合も、マイコンＩＣ３自身の完結した動作によりメイン電源スタンバイモードへの遷移が可能となる。
【００９５】
そして、このような動作を利用することで、第２の実施の形態としても、例えば所定の時間長にわたってユーザが電子機器を使用してないとされる動作状態であることを判別することに応じて、マイコンＩＣ３が、上記ＯＮ信号の出力を停止して強制的にメイン電源スタンバイモードに移行させるように構成してもよい。つまりこれによって、メイン電源オンモードのままで電子機器が使用されていないために無駄な電力が消費されるという状態をできるだけ継続させないようにし、消費電力の更なる低減を図るものである。
【００９６】
また、第２の実施の形態としても、マイコンＩＣ３（機能回路部）が動作を停止しているスタンバイモードを、メイン電源スイッチＳＷｍ（操作手段）の操作によるメイン電源オンのための待機状態としているが、この場合のスタンバイモードとしても、先に述べたようにしてメイン電源をオンとすること以外の待機状態に適用してもよい。
また、この場合も、スタンバイモードのときに電源供給を停止させて、その動作を停止させておく機能回路部としても、マイコンに限定されるものではなく、操作手段に対応する所定の機器動作を制御することのできる機能回路部でありさえすればよい。
【００９７】
なお、これまでの説明では、第２の実施の形態の電源回路系の構成の一例として、マイコンＩＣ３とその他の機能回路部とに同電位の電源電圧を共通のラインを用いて供給するものとしたが、実際には、マイコンＩＣ３とその他の機能回路部とで必要とされる電位が異なる場合がある。
これに対応しては、例えば先の第１の実施の形態にて説明したものと同様に、メイン電源部４から出力されるメイン電源電圧ＶＤのラインを、機能回路部ごとに必要な電源電圧レベルや負荷条件などに応じて複数系統出力する構成とすればよい。そして、この構成の下で第２の実施の形態としての電源供給制御動作を実現するにあたっては、先ずは各機能各回路部への供給ラインに挿入するようにして、マイコンＩＣ３がオン／オフ制御可能なスイッチを設ける。そして、マイコンＩＣ３では、メイン電源スイッチＳＷｍがオンとなることに応じて検出端子Ｐ.sensにて得られるスイッチオン電圧に応じて、これらのスイッチをオンとするように制御を行うように構成すればよい。
このようにすることで、第２の実施の形態の構成としても、各機能回路部が必要とする電位が異なる場合に、メイン電源スイッチＳＷｍの操作に応じたメイン電源供給についての制御を行うことが可能となる。
【００９８】
或いは、上記構成の他にも、例えば電源供給オン／オフコントロール回路２０とマイコンＩＣ３の電源入力との間にアップコンバータ及び／又はダウンコンバータ等を設けるようにして、ここから必要な各種の電位による電源電圧を得るように構成することによっても、異なる電位の各種機能回路部に対するメイン電源供給についてのオン／オフ制御を行うことができる。
【００９９】
また、先の図５には示さなかったが、第２の実施の形態の電源回路系の構成としても、マイコンＩＣ３に対して、第１の実施の形態の場合と同様のリモコン受信部５を設けるようにし、当該電源回路系を備える電子機器としてリモートコントローラによる操作が可能とされてもよい。
なお、第２の実施の形態において、このようにリモートコントローラによる操作が可能とされる場合のリモコンスタンバイモードについてであるが、先の図６に示した構成によっては、マイコンＩＣ３とその他の機能回路部への電源供給ラインは、共通ラインを使用するようにされるため、マイコンＩＣ３のみを起動させることができない。つまり、マイコンＩＣ３のみを起動させてリモコン入力に対するスタンバイ状態を維持させておく、リモコンスタンバイモードは不可能となる。
そこで第２の実施の形態として、このようなリモコンスタンバイモードを可能とするとした場合には、先に例示したようにして、メイン電源部４から出力されるメイン電源電圧ＶＤのラインを、少なくともマイコンＩＣ３のみに入力されるラインと、その他の機能回路部へ供給されるラインとに分岐して出力する構成とする。さらに、メイン電源部４から分岐したマイコンＩＣ３以外への機能回路部等の供給ラインに対して、マイコンＩＣ３によりオン／オフ制御可能なスイッチを挿入しておく。
その上でマイコンＩＣ３は、リモコンから送信されたメイン電源部をオフとするためのコマンド信号を受信することに応じて、上記スイッチをオフとし、他の機能回路部への電力供給を停止させる。これにより、第２の実施の形態の電源供給オン／オフコントロール回路２０を適用した場合にも、他の機能回路部は動作を停止させつつマイコンＩＣ３は動作中とする、リモコンスタンバイモードを実現できるようになる。
【図面の簡単な説明】
【０１００】
【図１】本発明における、第１の実施の形態の電源供給制御装置を備える電源回路系の構成例を示すブロック図である。
【図２】第１の実施の形態の電源回路系において、スタンバイ電源部側の電源回路系を抜き出して示すとともに、電源供給オン／オフコントロール回路の内部構成例を示す図である。
【図３】モノマルチＩＣの内部等化回路を示す回路図である。
【図４】第１の実施の形態の場合における、メイン電源スタンバイモードとメイン電源オンモードとの間での遷移に対応する、電源供給オン／オフコントロール回路とマイコンＩＣ３の動作を示すタイミングチャートである。
【図５】本発明における、第２の実施の形態の電源供給制御装置を備える電源回路系の構成例を示すブロック図である。
【図６】第２の実施の形態の電源回路系において、主に電源供給オン／オフコントロール回路の内部構成例について示した図である。
【図７】第２の実施の形態の場合における、電源供給オン／オフコントロール回路とマイコンＩＣ３の動作を示すタイミングチャートである。
【符号の説明】
【０１０１】
１  スタンバイ電源部、２  電源供給オン／オフコントロール回路、３  マイコンＩＣ、４  メイン電源部、５  リモコン受信部、ＳＷｍ  メイン電源スイッチ、ＳＷL  メイン電源ラインスイッチ、１０  モノマルチＩＣ、Ｒ１  抵抗、Ｒｘ  時定数抵抗、Ｃｘ  時定数コンデンサ、Ｄ1、Ｄ2、Ｄ１１、Ｄ１２  ダイオード、ＣC  コンデンサ、Ｒ１１〜Ｒ１６  抵抗、Ｑ１、Ｑ２  増幅素子、Ｑ３  電源供給スイッチ素子
【図１】
2005065478.tif 000003
【図２】
2005065478.tif 000004
【図３】
2005065478.tif 000005
【図４】
2005065478.tif 000006
【図５】
2005065478.tif 000007
【図６】
2005065478.tif 000008
【図７】
2005065478.tif 000009